(57)【要約】【課題】組み立てに手間がかかって作業性が悪く、しかも軸筒とグリップカバーとにばらつきがある場合には、グリップカバーをセットした後、グリップカバーがずれたり、捲れたり、変形することもあった。【解決手段】硬質樹脂からなる軸筒１と、この軸筒１のグリップ部分に設けられた軟質樹脂からなるグリップカバー１０とからなる筆記具のグリップにおいて、軸筒１のグリップ部分に貫通孔２３を形成し、この貫通孔２３を介して軸筒１とグリップカバー１０とを一体成形してなる。【選択図】        図１
2005014284.tif 000002
【特許請求の範囲】
【請求項１】
硬質樹脂からなる軸筒と、この軸筒のグリップ部分に設けられた軟質樹脂からなるグリップカバーとからなる筆記具のグリップにおいて、軸筒のグリップ部分に貫通孔を形成し、この貫通孔を介して軸筒とグリップカバーとを一体成形してなることを特徴とする筆記具のグリップ。
【請求項２】
前記グリップカバーが軸筒のグリップ部分の裏側に軟質樹脂層として形成されてなる請求項１記載の筆記具のグリップ。
【請求項３】
グリップカバーが軸筒のグリップ部分の一部分をカバーしてなる請求項１記載の筆記具のグリップ。
【請求項４】
前記軸筒は、先軸と後軸とから構成されており、この先軸にグリップカバーが設けられてなる請求項１記載の筆記具のグリップ。
【請求項５】
前記先軸のグリップ部分の後部外周にはフランジが設けられ、かつこのフランジの前面部は前方に向かって漸次下降する傾斜壁を有し、かつ後面部は直立壁を有してなる請求項４記載の筆記具のグリップ。
【請求項６】
前記軸筒とグリップカバーとの一体成形が射出成形である請求項１記載の筆記具のグリップ。
【発明の詳細な説明】
【０００１】
【発明の属する技術分野】
この発明は、筆記者が長時間筆記しても疲労しなく、かつ容易に製造することが可能な筆記具のグリップに関する。
【０００２】
【従来の技術】
従来、筆記具のグリップカバーは、例えば実公平２−２２３０１号公報に記載されているように、外面に適宜数の突条を有してなる円筒形の滑り止め（グリップカバー）と、該滑り止めの突条と同形の孔を有する外軸（軸筒）と、該外軸に内装される中軸とからなり、前記滑り止めの突条を外軸の孔より露出させ、滑り止めを中軸と外軸との間に圧接配置すると共に、中軸と外軸とを固定してなる筆記具の滑り止めが提案されている。
【０００３】
しかしながら、この従来例では、滑り止めの突条と同形の孔を有する外軸とを別々に作り、その後に組み込むため、突条と同形の孔とに関して方向性及び位置決めに手間がかかって作業性が悪く、しかも突条と同形の孔にばらつきがある場合には、滑り止めをセットした後滑り止めがずれたり、捲れたり、変形したりすることもあった。
【０００４】
【特許文献１】
実公平２−２２３０１号公報
【０００５】
【発明が解決しようとする課題】
そこで、この発明は上記のような従来の欠点を解消したものであって、筆記具のグリップにおいて、筆記時に手に持つ部分であるグリップ部分に硬さを感じさせず、かつ適度のクッション性を持たせるようにして長時間の筆記にも疲労しない筆記具のグリップを提供することを目的とする。
【０００６】
さらに、この発明によれば筆記具のグリップにおいて、軸筒とグリップカバーの密着性を確実にして、グリップカバーがずれたり、捲れたり、変形したりすることが全くない筆記具のグリップを提供することを目的とする。
【０００７】
【課題を解決するための手段】
上記目的を達成するために、この発明によれば硬質樹脂からなる軸筒と、この軸筒のグリップ部分に設けられた軟質樹脂からなるグリップカバーとからなる筆記具のグリップにおいて、軸筒のグリップ部分に貫通孔を形成し、この貫通孔を介して軸筒とグリップカバーとを一体成形してなる。
【０００８】
また、オレフィン系樹脂とスチレン系樹脂等の、密着性の悪いもの同士での成形であっても、硬質樹脂からなる軸筒の貫通孔を介してグリップカバーの軟質樹脂が形成されているため、グリップカバーがずれたり、捲れたり、変形したりすることがない。
【０００９】
【発明の実施の形態】
以下、添付図面を用いてこの発明の実施の形態による筆記具のグリップについて詳述する。
【００１０】
図１は、この発明の実施の形態１による筆記具のグリップが用いられた後端ノック式ボールペンを示す縦断面図である。図において、軸筒１は先軸２と、この先軸２と取り外し可能に螺合された後軸３とから構成されている。そして、先軸２の小径の先部外周にはおねじ２１が形成され、後部外周にもおねじ２２が形成されている。また、先軸２の前端には先端開口が形成された先細の先具４が螺合されている。
【００１１】
さらに、軸筒１内にはインキが充填されたボールペンレフィール５が摺動可能に設けられている。即ち、このボールペンレフィール５の段部５１と先具４との間にはリターンスプリング６が装着されて後方に付勢している。一方、ボールペンレフィール５の後端は回転カム７が設けられ、この回転カム７の後端にはノックスプリング８により後方に付勢されたノック部材としてのプランジャ９が設けられている。このプランジャ９は、大径のヘッド９１を有し、かつ後軸３から抜け落ちないように下部外周に係止突起９２を有している。なお、後軸３の後部内周には上記プランジャ９の係止突起９２のストッパ部が形成されている。
【００１２】
また、先軸２のグリップ部は、長手方向に３本の貫通孔２３が形成されている。この先軸２のグリップ部分の後端にはフランジ２４が設けられている。そして、このフランジ２４の前壁は前方に向かって下降する傾斜壁である円弧壁２５からなり、他方後壁は直立壁２６からなっている。
【００１３】
さらに、この先軸２のグリップ部分には軟質樹脂からなるグリップカバー１０が射出成形によって被覆されている。なお、この場合グリップカバー１０を形成する軟質樹脂は、貫通孔２３を経て、先軸２の裏側まで一体的に連なり軟質樹脂層１０１を形成して、これらの貫通孔２３の間の接続部の全体を包囲するように形成されている。従って、このグリップカバー１０は、筆記に際して軸筒１に関してずれたり、捲れたり、変形したりすることがない利点がある。なお、図中符号１１は、後軸３の後端部に固設されたクリップである。
【００１４】
次に、上記実施の形態１によるグリップが用いられたノック式ボールペンの動作について説明する。
まず、使用に際して後端のプランジャ９のヘッド９１をノックして回転カム７を作動せしめる。すると、ボールペンレフィール５が前進し、先具４の開口から先端チップ５２が突出せしめられて、筆記可能状態となる。なお、筆記が終了すると再びプランジャ９のヘッド９１をノックして回転カム７を作動せしめてボールペンレフィール５を後退せしめると、先具４内に先端チップ５２が収納せしめられる。
【００１５】
なお、筆記中は指先の押圧力がグリップカバー１０を介して先軸２に形成された貫通孔２３により直接に硬質樹脂からなる先軸２の抵抗を受けないので、この部分に固さを感じさせず、かつ適度なクッション性を得ることができるものである。
【００１６】
次に図５〜図８は、この発明の実施の形態２による筆記具のグリップを示し、この例では、軸筒１の一部分をカバーしてなる。即ち、この場合において、軸筒１の先軸２は長手方向に３本の貫通孔２３が形成されており、この貫通孔２３を介して先軸２の裏側全周にグリップカバー１０の軟質樹脂層１０１が形成されている。従って、この場合には、図９に示すように先軸２の一部が外部に露出して露出部２７を形成しているのでデザイン効果もある。なお、この例においても、上記発明の実施の形態１と同様の作用・効果がある。
【００１７】
上記各実施の形態において、軸筒は先軸と後軸とから構成されていたが、軸筒はこれに限らずいわゆる一本軸でも良い。さらに、軸筒の形状（長さ・幅・大きさ・数）等は、軸筒の硬度によっても変わり、またグリップカバーの軟質樹脂の硬度によっても変わってくる。なお、一体成形の方法としては射出成形、即ちプラスチック材料から物品を成形する際に、材料をホッパから加熱シリンダに供給し、その中で可塑化した後、材料に圧力を加えて、ノズルからスプルーを経て、ゲートから金型の中に射出して所要の形を形成する方法が一般的である。
【００１８】
【発明の効果】
この発明の構成は上記したとおりであるので、組立が容易でかつ筆記具のグリップにおいて、筆記時に手に持つ部分であるグリップ部分に硬さを感じさせず、かつ適度のクッション性を持たせる効果がある。
さらに、この発明によれば筆記具のグリップにおいて、軸筒とグリップカバーの密着性を確実にして、グリップカバーがずれたり、捲れたり、変形したりすることが全くないという優れた効果がある。
【図面の簡単な説明】
【図１】この発明の実施の形態１によるグリップを用いた筆記具の縦断面図である。
【図２】図１の先軸とグリップカバーとからなるグリップの正面図である。
【図３】図２のグリップの縦断面図である。
【図４】図２のグリップの拡大横断面図である。
【図５】この発明の実施の形態２によるグリップを用いた筆記具の縦断面図である。
【図６】図５のグリップカバーを除いた先軸の正面図である。
【図７】図６の先軸の縦断面図である。
【図８】図６の先軸の拡大横断面図である。
【図９】図５の先軸とグリップカバーとからなるグリップの正面図である。
【図１０】図９のグリップの縦断面図である。
【図１１】図９のグリップの拡大横断面図である。
【符号の説明】
１  軸筒
２  先軸
２１  おねじ
２２  おねじ
２３  貫通孔
２４  フランジ
２５  円弧壁
２６  直立壁
２７  露出部
３  後軸
４  先具
５  ボールペンレフィール
５１  段部
５２  先端チップ
６  リターンスプリング
７  回転カム
８  ノックスプリング
９  プランジャ
９１  ヘッド
９２  係止突起
１０  クリップカバー
１０１  軟質樹脂層
１１  クリップ
【図１】
2005014284.tif 000003
【図２】
2005014284.tif 000004
【図３】
2005014284.tif 000005
【図４】
2005014284.tif 000006
【図５】
2005014284.tif 000007
【図６】
2005014284.tif 000008
【図７】
2005014284.tif 000009
【図８】
2005014284.tif 000010
【図９】
2005014284.tif 000011
【図１０】
2005014284.tif 000012
【図１１】
2005014284.tif 000013